(57)【要約】【課題】本発明の目的は、数量の加算と指定などの複数の操作を行うことができる数量ボタン方法を提供することにある。【解決手段】コンピュータの処理において、表示手段に表示された数量ボタン１０の押下を検出した際に、複数のメニュー項目の中に数量の指定領域を備える操作メニュー領域１２を表示することを特徴とする。【選択図】図１
2017142548.tif 000002
【特許請求の範囲】
【請求項１】
コンピュータの処理において、
表示手段に表示された数量ボタン（１０）の押下を検出した際に、複数のメニュー項目の中に数量の指定領域を備える操作メニュー領域（１２）を表示することを特徴とする方法。
【請求項２】
コンピュータの処理において、
表示手段に表示された商品に関するウィジェット（１０）またはコンテンツ（１０）のフォーカスを検出した際に、複数のメニュー項目の中に数量の指定領域を備える操作メニュー領域（１２）を表示することを特徴とする方法。
【請求項３】
コンピュータの処理において、
表示手段に表示された数量ボタン（１０）の押下を検出した際に、所定の数を数量に加算する過程と、
前記数量ボタン（１０）上で、前記数量を表示している数量表示ボタン（１１）の押下を検出した際に、前記数量の指定領域を表示する過程を含むことを特徴とする方法。
【請求項４】
コンピュータの処理において、
表示手段に表示された数量ボタン（１０）の押下を検出した際に、所定の数を数量に加算する過程と、
該押下の検出で、他の押され方を検出した際に、複数のメニュー項目の中に数量の指定領域を備える操作メニュー領域（１２）または前記数量ボタン（１０）に対応するコンテンツを表示する過程を含むことを特徴とする方法。
【請求項５】
前記コンピュータを、請求項１ないし４のいずれかに記載の方法を実現させるためのシステム（１）として機能させるための制御プログラム。
【発明の詳細な説明】
【技術分野】
【０００１】
本発明は、数量ボタン方法に関する。
【背景技術】
【０００２】
従来、数量ボタン方法が知られている。例えば、特開２０１２−２０８８３７号公報に記載の技術によれば、商品をショッピングカートに投入するボタン上に重ねてショッピングカートに投入されている商品の数量の表示領域を表示するネットスーパーマーケットの技術が開示されている。
【先行技術文献】
【非特許文献】
【０００３】
【特許文献１】特開２０１２−２０８８３７号公報
【発明の概要】
【発明が解決しようとする課題】
【０００４】
ところで、上記従来の数量ボタン方法は、数量の加算に対応したボタン上に数量を表示させることができるが、同じボタンで利用者が任意に数量を指定する、或いは外部リンクを参照しウェブページをダウンロードして表示することができないと言った問題があった。
【０００５】
そこで、本発明の目的は、数量の加算と指定などの複数の操作を行うことができる数量ボタン方法を提供することにある。
【課題を解決するための手段】
【０００６】
上記課題を解決するため本発明の数量ボタン方法は、コンピュータの処理において、表示手段に表示された数量ボタン（１０）の押下を検出した際に、複数のメニュー項目の中に数量の指定領域を備える操作メニュー領域（１２）を表示することを特徴とする。
【発明の効果】
【０００７】
本発明によれば、数量ボタン方法は、数量の加算と指定などの複数の操作を行うことができる。
【図面の簡単な説明】
【０００８】
【図１】実施形態のショッピングカート投入システムの商品選択ウェブページの一例である。
【発明を実施するための形態】
【０００９】
以下、本発明の一実施の形態について詳細に説明する。
【００１０】
図１は実施形態のショッピングカート投入システムの商品選択ウェブページの一例である。ショッピングカート投入システムは、端末１がネットスーパーマーケットなどの電子商取引サイトを提供するサーバから、ショッピングカート（端末１のCookieなどで構成される）に商品を投入する（所定の数を数量に加算する）ウィジェットである数量ボタン１０を備えた商品選択ウェブページをダウンロードしてディスプレイに表示する。
【００１１】
端末１などの装置は、ＣＰＵ、ＲＯＭ、ＲＡＭ、外部記憶部、入出力部（キーボード、マウス、ディスプレイなど）、ネットワーク通信部などを、バスに接続するコンピュータ部を備える。
【００１２】
数量ボタン１０は、ボタン上に対応する商品の画像や動画、商品名、説明、価格などのコンテンツを表示しており、実店舗の商品注文システム、オンライントレード、Ｂ２Ｃ、Ｃ２Ｃ、Ｂ２Ｂ、装置全般などの数量ボタンに応用してもよい。
【００１３】
数量ボタン１０上に重ねて表示された数量表示部１１は、ボタンを構成しボタン上に数量ボタン１０に対応する商品のショッピングカートに投入されている数量を表示している。
【００１４】
端末１は、数量ボタン１０のクリックを検出し、かつ、数量ボタン１０に対応しショッピングカートに投入されている商品の数量がゼロの際に、商品をショッピングカートに投入する。
【００１５】
また、数量ボタン１０のクリックを検出し、かつ、数量ボタン１０に対応しショッピングカートに投入されている商品の数量がゼロでない際に、或いは数量ボタン１０の長押しを検出した際に、数量表示部１１の替りにそこに入力領域を表示し、利用者が入力領域を用いて数量を任意に指定可能とする。
【００１６】
また、数量ボタン１０に対応しショッピングカートに投入されている商品の数量がゼロでない際に、数量表示部１１を表示する。
【００１７】
上記実施形態において、端末１は、数量ボタン１０のクリックを検出した際に、常に、商品をショッピングカートに投入する構成としてもよく、数量表示部１１のクリックを検出した際に、数量表示部１１の替りにそこに入力領域を表示し、利用者が入力領域を用いて数量を任意に指定可能としてもよい。
【００１８】
また、数量ボタン１０のクリックを検出し、かつ、数量ボタン１０に対応しショッピングカートに投入されている商品の数量がゼロでない際に、或いは数量ボタン１０や数量表示部１１のダブルクリックを検出した際に、外部リンクを参照しショッピングカート・ウェブページや数量ボタン１０に対応する商品の商品紹介ウェブページなどをダウンロードしてディスプレイに表示する構成としてもよい。
【００１９】
また、数量ボタン１０や数量表示部１１のダブルクリック、長押しなどを検出した際に、或いは数量表示部１１のクリックを検出した際に、所定の数の商品を（但し、長押しを検出の場合は、長押しを検出している間の所定の時間毎に）ショッピングカートから削除（数量から所定の数を減算）する構成としてもよい。
【００２０】
また、数量ボタン１０や数量表示部１１のクリック、ダブルクリック、長押し、フォーカスなどを検出した際に、或いは数量ボタン１０のクリックを検出し、かつ、数量ボタン１０に対応しショッピングカートに投入されている商品の数量がゼロでない際に、数量ボタン１０に対応しショッピングカートに投入する商品の数量を、利用者が任意に指定可能とするスピンボタン、ドロップダウンリスト、コンポボックス、入力領域などの手段と、ショッピングカートからの商品の削除を提供する手段と、ショッピングカート・ウェブページや数量ボタン１０に対応する商品の商品紹介ウェブページを表示する外部リンク参照手段、操作メニュー領域１２の表示終了手段などを、メニュー項目として備える操作メニュー領域１２を数量ボタン１０の近くに表示する構成としてもよい。
【００２１】
入力領域は、数量の指定や変更に対応し、スピンボタン、ドロップダウンリスト、コンポボックスなどに置き換えてもよく、端末１が領域外の操作を検出した際に消去される。
【００２２】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００２３】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００２４】
また、インターネット、ＬＡＮ等のネットワークシステムを介して制御プログラムをダウンロードし、インストールして実行するように構成することも可能である。
【符号の説明】
【００２５】
１…端末，１０…数量ボタン，１１…数量表示部，１２…操作メニュー領域
【図１】
2017142548.tif 000003
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
コンピュータを、
数値の指定手段および変更手段でない数値表示部を備える数値表示部付数値ボタンを表示手段に表示させる第１手段と、
前記数値表示部付数値ボタンの押下を検出の際に、所定の数を前記数値に加算させる第２手段と、
前記数値表示部を前記数値の指定手段または変更手段に置換えさせる第３手段と、を備える装置の前記第３手段として機能させるための制御プログラム。
【請求項２】
コンピュータを、
数値ボタンを表示手段に表示させる第１手段と、
前記数値ボタンの押下を検出の際に、所定の数を数値に加算させる第２手段と、
前記数値ボタンと関連して、前記数値の指定手段または変更手段をメニュー項目に含むメニュー手段を前記表示手段に表示させる第３手段と、を備える装置の前記第３手段として機能させるための制御プログラム。
【請求項３】
コンピュータを、
数値の指定手段または変更手段をメニュー項目に含むメニュー手段を表示手段に表示させる手段として機能させるための制御プログラム。
【請求項４】
次の（１）乃至（３）のいずれかの要件を備える装置によることを特徴とする方法。
（１）数値の指定手段および変更手段でない数値表示部を備える数値表示部付数値ボタンを表示手段に表示する第１手段と、前記数値表示部付数値ボタンの押下を検出の際に、所定の数を前記数値に加算する第２手段と、前記数値表示部を前記数値の指定手段または変更手段に置換える第３手段と、を備える。
（２）数値ボタンを表示手段に表示する第１手段と、前記数値ボタンの押下を検出の際に、所定の数を数値に加算する第２手段と、前記数値ボタンと関連して、前記数値の指定手段または変更手段をメニュー項目に含むメニュー手段を前記表示手段に表示する第３手段と、を備える。
（３）数値の指定手段または変更手段をメニュー項目に含むメニュー手段を表示手段に表示する手段を備える。
【手続補正２】
【補正対象書類名】明細書
【補正対象項目名】０００６
【補正方法】変更
【補正の内容】
【０００６】
上記課題を解決するため本発明の装置は、次の（１）乃至（３）のいずれかの要件を備えることを特徴とする。
（１）数値の指定手段および変更手段でない数値表示部を備える数値表示部付数値ボタンを表示手段に表示する第１手段と、前記数値表示部付数値ボタンの押下を検出の際に、所定の数を前記数値に加算する第２手段と、前記数値表示部を前記数値の指定手段または変更手段に置換える第３手段と、を備える。
（２）数値ボタンを表示手段に表示する第１手段と、前記数値ボタンの押下を検出の際に、所定の数を数値に加算する第２手段と、前記数値ボタンと関連して、前記数値の指定手段または変更手段をメニュー項目に含むメニュー手段を前記表示手段に表示する第３手段と、を備える。
（３）数値の指定手段または変更手段をメニュー項目に含むメニュー手段を表示手段に表示する手段を備える。
【手続補正３】
【補正対象書類名】明細書
【補正対象項目名】０００４
【補正方法】変更
【補正の内容】
【０００４】
ところで、上記従来の数量ボタン方法は、数値表示部付数値ボタンの数値の指定手段および変更手段でない数値表示部を、数値の指定手段または変更手段に置換えることができないと言った問題があった。
また、数値の指定手段または変更手段をメニュー項目に含むメニュー手段を表示することができないと言った問題があった。
【手続補正４】
【補正対象書類名】明細書
【補正対象項目名】０００５
【補正方法】変更
【補正の内容】
【０００５】
そこで、本発明の目的は、数値表示部付数値ボタンの数値の指定手段および変更手段でない数値表示部を、数値の指定手段または変更手段に置換えることができる装置および制御プログラムを提供することにある。
また、数値の指定手段または変更手段をメニュー項目に含むメニュー手段を表示することができる装置および制御プログラムを提供することにある。
【手続補正５】
【補正対象書類名】明細書
【補正対象項目名】０００７
【補正方法】変更
【補正の内容】
【０００７】
本発明によれば、装置および制御プログラムは、数値表示部付数値ボタンの数値の指定手段および変更手段でない数値表示部を、数値の指定手段または変更手段に置換えることができる。
また、数値の指定手段または変更手段をメニュー項目に含むメニュー手段を表示することができる。
【手続補正７】
【補正対象書類名】明細書
【補正対象項目名】０００１
【補正方法】変更
【補正の内容】
【０００１】
本発明は、数値ボタン方法に関する。